(57)【要約】【課題】施工時に、防振効果を有する防振材の位置ずれ及び脱落を防止したコンクリート床構造を提供する。【解決手段】本発明のコンクリート床構造は、梁（１１０）と、この梁（１１０）上に位置するデッキコンクリート床と、梁（１１０）とデッキコンクリート床との間に設けられた弾性防振材（１４０）とを備えている。デッキコンクリート床は、底面（１２１）に間隔を隔てて設けられた複数の凹部（１２２）を有し、デッキプレート（１２０）と、デッキプレート（１２０）上に打設されたコンクリート（１３０）とを含んでいる。弾性防振材（１４０）は、凹部（１２２）内に位置する第１の部分（１４１）と、凹部（１２２）から梁（１１０）側に突出して梁（１１０）に接する第２の部分（１４２）とを有している。【選択図】図３
2016069844.tif 000002
【特許請求の範囲】
【請求項１】
梁と、
前記梁上に位置するデッキコンクリート床と、
前記梁と前記デッキコンクリート床との間に設けられた弾性防振材とを備え、
前記デッキコンクリート床は、底面に間隔を隔てて設けられた複数の凹部を有し、デッキプレートと、前記デッキプレート上に打設されたコンクリートとを含み、
前記弾性防振材は、前記凹部内に位置する第１の部分と、前記凹部から前記梁側に突出して前記梁に接する第２の部分とを有する、コンクリート床構造。
【請求項２】
前記第１の部分は、前記凹部の側壁に接し、
前記第２の部分は、前記第１の部分が接する側壁と連なる前記凹部外の前記底面と接する、請求項１に記載のコンクリート床構造。
【請求項３】
前記第１の部分は、前記凹部の両側壁に接し、
前記第２の部分は、前記第１の部分が接する両側壁のそれぞれと連なる前記凹部外の前記底面のそれぞれと接する、請求項２に記載のコンクリート床構造。
【請求項４】
前記第１の部分の上端と前記凹部の上壁との間には隙間が設けられている、請求項１〜３のいずれか１項に記載のコンクリート床構造。
【請求項５】
前記凹部のそれぞれは、前記凹部の上壁に向けて開口幅が広くなる、請求項１〜４のいずれか１項に記載のコンクリート床構造。
【請求項６】
前記弾性防振材は、前記デッキコンクリート床の端縁に設けられている、請求項１〜５のいずれか１項に記載のコンクリート床構造。
【請求項７】
前記梁と前記デッキコンクリート床とを接合する接合部材をさらに備え、
前記接合部材は、前記凹部に係合する係合部と、前記係合部と前記梁とを締結する締結部とを含む、請求項１〜６のいずれか１項に記載のコンクリート床構造。
【請求項８】
前記係合部は、隣り合う２つの凹部と係合する、請求項７に記載のコンクリート床構造。
【請求項９】
前記接合部材は、前記係合部において前記デッキコンクリート床と接する部分に設けられた弾性材をさらに含む、請求項７または８に記載のコンクリート床構造。
【請求項１０】
前記弾性防振材が接する梁に前記接合部材が取り付けられ、かつ前記弾性防振材が位置する凹部に前記弾性防振材と距離を隔てて前記接合部材が設けられている、請求項７〜９のいずれか１項に記載のコンクリート床構造。
【発明の詳細な説明】
【技術分野】
【０００１】
本発明は、コンクリート床構造に関する。
【背景技術】
【０００２】
特開２００７−４００３３号公報（特許文献１）に開示されているように、従来より、デッキプレートにコンクリートが打設されたコンクリート床と、梁とを接合して床の施工を行っている。
【０００３】
また、特許第４３５５３０２号（特許文献２）には、コンクリート床と梁との間に減衰装置を設けた浮き床式制振構造が開示されている。具体的には、梁上に複数の減衰装置が配列され、梁の幅方向両側から減衰装置がデッキ受スチールプレートに挟み込まれ、デッキ受スチールプレートにデッキプレートの端部が係止されている。
【先行技術文献】
【特許文献】
【０００４】
【特許文献１】特開２００７−４００３３号公報
【特許文献２】特許第４３５５３０２号
【発明の概要】
【発明が解決しようとする課題】
【０００５】
特許文献１における施工により形成されるコンクリート床構造は、防振効果を有していない。
【０００６】
特許文献２における浮き床式制振構造は、減衰装置により防振効果を有している。しかしながら、特許文献２の減衰装置は、一般的には、両面粘着テープ、接着剤などの接着部材により梁に接着されている。この場合、施工時に接着部材の位置がずれてしまうと、減衰装置がずれてしまう。また、施工時に減衰装置が脱落する可能性もある。
【０００７】
本発明は、上記問題点に鑑み、施工時に、防振効果を有する防振材の位置ずれ及び脱落を防止したコンクリート床構造を提供することを課題とする。
【課題を解決するための手段】
【０００８】
本発明のコンクリート床構造は、梁と、この梁上に位置するデッキコンクリート床と、梁とデッキコンクリート床との間に設けられた弾性防振材とを備え、デッキコンクリート床は、底面に間隔を隔てて設けられた複数の凹部を有し、デッキプレートと、このデッキプレート上に打設されたコンクリートとを含み、弾性防振材は、凹部内に位置する第１の部分と、凹部から梁側に突出して梁に接する第２の部分とを有している。
【０００９】
本発明のコンクリート床構造において好ましくは、第１の部分は、凹部の側壁に接し、第２の部分は、第１の部分が接する側壁と連なる凹部外の底面と接する。
【００１０】
本発明のコンクリート床構造において好ましくは、第１の部分は、凹部の両側壁に接し、第２の部分は、第１の部分が接する両側壁のそれぞれと連なる凹部外の底面のそれぞれと接する。
【００１１】
本発明のコンクリート床構造において好ましくは、第１の部分の上端と凹部の上壁との間には隙間が設けられている。
【００１２】
本発明のコンクリート床構造において好ましくは、凹部のそれぞれは、凹部の上壁に向けて開口幅が広くなる。
【００１３】
本発明のコンクリート床構造において好ましくは、弾性防振材は、デッキコンクリート床の端縁に設けられている。
【００１４】
本発明のコンクリート床構造において好ましくは、梁とデッキコンクリート床とを接合する接合部材をさらに備え、接合部材は、凹部に係合する係合部と、係合部と梁とを締結する締結部とを含む。
【００１５】
本発明のコンクリート床構造において好ましくは、係合部は、隣り合う２つの凹部と係合する。
【００１６】
本発明のコンクリート床構造において好ましくは、接合部材は、係合部においてデッキコンクリート床と接する部分に設けられた弾性材をさらに含む。
【００１７】
本発明のコンクリート床構造において好ましくは、弾性防振材が接する梁に接合部材が取り付けられ、かつ弾性防振材が位置する凹部に弾性防振材と距離を隔てて接合部材が設けられている。
【発明の効果】
【００１８】
本発明のコンクリート床構造によれば、施工時に、防振効果を有する防振材の位置ずれ及び脱落を防止することができる。
【図面の簡単な説明】
【００１９】
【図１】本発明の実施の形態におけるコンクリート床構造を概略的に示す斜視図である。
【図２】本発明の実施の形態におけるコンクリート床構造を概略的に示し、図１におけるＩＩ−ＩＩ線に沿った断面図である。
【図３】本発明の実施の形態におけるコンクリート床構造を概略的に示し、図１におけるＩＩＩ−ＩＩＩ線に沿った断面図である。
【図４】本発明の実施の形態における別のコンクリート床構造を概略的に示し、図１におけるＩＩＩ−ＩＩＩ線に沿った断面図である。
【図５】本発明の実施の形態における別のコンクリート床構造を概略的に示し、図１におけるＩＩＩ−ＩＩＩ線に沿った断面図である。
【図６】本発明の実施の形態における別のコンクリート床構造を概略的に示し、図１におけるＩＩＩ−ＩＩＩ線に沿った断面図である。
【図７】本発明の実施の形態における別のコンクリート床構造を概略的に示し、図１におけるＩＩＩ−ＩＩＩ線に沿った断面図である。
【図８】本発明の実施の形態における別のコンクリート床構造を概略的に示し、図１におけるＩＩＩ−ＩＩＩ線に沿った断面図である。
【図９】本発明の実施の形態における別のコンクリート床構造を概略的に示し、図１におけるＩＩＩ−ＩＩＩ線に沿った断面図である。
【図１０】本発明の実施の形態における別のコンクリート床構造を概略的に示し、図１におけるＩＩＩ−ＩＩＩ線に沿った断面図である。
【図１１】本発明の実施の形態における別のコンクリート床構造を概略的に示し、図１におけるＩＩＩ−ＩＩＩ線に沿った断面図である。
【図１２】本発明の実施の形態におけるコンクリート床構造を概略的に示し、図１におけるＸＩＩ−ＸＩＩ線に沿った断面図である。
【図１３】本発明の実施の形態における別のコンクリート床構造を概略的に示し、図１におけるＸＩＩ−ＸＩＩ線に沿った断面図である。
【発明を実施するための形態】
【００２０】
以下、図面に基づいて本発明の実施の形態を説明する。なお、以下の図面において同一または相当する部分には同一の参照符号を付しその説明は繰り返さない。
【００２１】
図１〜図１３を参照して、本発明の一実施形態のコンクリート床構造について説明する。図１及び図２に示すように、本発明の実施の形態１のコンクリート床構造１００は、梁１１０と、デッキプレート１２０と、コンクリート１３０と、弾性防振材１４０と、接合部材１５０とを備えている。
【００２２】
梁１１０は、鉛直方向に延びる部材を相互に連結補強するために水平方向にかけ渡されている。本実施の形態の梁１１０はＨ形鋼であるが、梁の形状は特に限定されない。
【００２３】
この梁１１０の上に、デッキコンクリート床が位置している。デッキコンクリート床は、デッキプレート１２０と、このデッキプレート１２０上に打設されたコンクリート１３０とを含んでいる。
【００２４】
具体的には、梁１１０の上に、デッキプレート１２０が設けられている。本実施の形態では、梁１１０上に、デッキプレート１２０の端部が配置されている。梁１１０の延びる方向と、デッキプレート１２０の延びる方向とは交差（具体的には直交）している。このデッキプレート１２０上に、コンクリート１３０が設けられている。
【００２５】
図３〜図１１に示すように、デッキプレート１２０は、梁１１０に対向し、平板部を有し、平板部には間隔を隔てて設けられた複数の立上り部（リブ）が形成されている。つまり、デッキコンクリート床は、梁１１０に対向する底面１２１を有し、底面１２１には間隔を隔てて設けられた複数の凹部１２２が形成されている。凹部１２２は、上方に向けて凹んだ形状である。凹部１２２は、側壁１２３と、この側壁１２３と連なる上壁１２４とを有している。
【００２６】
凹部１２２は、デッキコンクリート床（デッキプレート１２０）の端縁に形成されている。凹部１２２は、延在方向の端縁１２０ａ（図１参照）に形成されていてもよいが、延在方向と交差する方向（図３における矢印Ａの方向）の端縁１２０ｂ（図１参照）に形成されていることが好ましい。本実施の形態の凹部１２２は、延在方向と交差する方向における端縁１２０ｂにおいて、繰り返し形成されている。
【００２７】
また、凹部１２２は、デッキコンクリート床の延在方向の一端縁から他端縁に向けて（図１における端縁１２０ｂから、この端縁１２０ｂと反対側の端縁に向けて）互いに平行に延びている。本実施の形態では、デッキプレート１２０は、上下方向に延びる立上り部と、平板部とが水平方向に交互に繰り返された波形に成形された鋼板である。
【００２８】
梁１１０の延びる方向と、凹部１２２の延びる方向とは、交差（具体的には直交）している。本実施の形態では、複数の凹部１２２が並ぶ端縁に沿って、梁１１０が配置されている。つまり、梁１１０上に、複数の凹部１２２が形成されたデッキコンクリート床の端縁が位置している。
【００２９】
図３〜図１１に示すように、凹部１２２のそれぞれは、凹部１２２の上壁１２４に向けて開口幅が広くなっている。つまり、凹部１２２の下端から上端に向けて、開口幅が広くなっている。なお、凹部１２２の形状は特に限定されず、開口幅は一定であってもよく、狭くなっていてもよい。また、複数の凹部１２２のそれぞれの形状は、同じであってもよく、異なっていてもよい。
【００３０】
凹部１２２の下端は同一平面上にあり、凹部１２２の上壁１２４は同一平面上にある。また、デッキプレート１２０の厚みは略一定である。
【００３１】
梁１１０とデッキコンクリート床（デッキプレート１２０）との間には、弾性防振材１４０が設けられている。弾性防振材１４０は、防振効果と遮音効果とを有している。弾性防振材１４０は、ゴム、樹脂などの弾性体であれば特に限定されず、ゴムであることが好ましい。
【００３２】
図３〜図１１に示すように、防振材１４０の上端は、デッキコンクリート床の凹部１２２内に位置し、防振材１４０の下端は、梁１１０に接するように設けられている。具体的には、弾性防振材１４０は、凹部１２２内に位置する第１の部分１４１と、凹部１２２から梁１１０側に突出して梁１１０に接する第２の部分１４２とを有している。第１の部分１４１と第２の部分１４２とは、一体であり、連なっている。第１の部分１４１は、凹部１２２内の側壁１２３及び上壁１２４のいずれかと接していてもよく、接していなくてもよいが、凹部１２２内に嵌合する形状であることが好ましい。
【００３３】
図３〜図９に示す弾性防振材１４０においては、第１の部分１４１は、凹部１２２の側壁１２３に接し、第２の部分１４２は、第１の部分１４１が接する側壁１２３と連なる凹部１２２外の底面１２１と接している。つまり、第１の部分１４１は、デッキプレート１２０の立上り部の側壁１２３に接し、第２の部分１４２は、第１の部分１４１が接する側壁１２３と連続する平板部と接している。
【００３４】
さらに図３及び図６に示す弾性防振材１４０においては、第１の部分１４１は、凹部１２２の両側壁１２３に接し、第２の部分１４２は、第１の部分１４１が接する両側壁１２３のそれぞれと連なる凹部１２２外の底面１２１のそれぞれと接している。つまり、第１の部分１４１は、デッキプレート１２０の立上り部の両側壁１２３に接し、第２の部分１４２は、第１の部分１４１が接する両側壁１２３のそれぞれと連続する平板部と接している。
【００３５】
また、図６〜図８に示す弾性防振材１４０においては、第１の部分１４１の上端と凹部１２２の上壁１２４との間には隙間が設けられている。つまり、弾性防振材１４０の上端は、デッキプレート１２０と接していない。
【００３６】
本実施の形態では、凹部１２２は、デッキコンクリート床の端縁１２０ｂ（図１参照）に形成されているので、この端縁から弾性防振材１４０が挿入されることにより、取り付けが可能である。凹部１２２に挿入しやすい観点から、凹部１２２に弾性防振材１４０が挿入された状態における弾性防振材１４０の幅は、凹部１２２の端縁から奥に向けて（図６〜図８において紙面手前から奥に向けて）徐々に狭くなることが好ましい。なお、弾性防振材１４０の幅とは、少なくとも第１の部分１４１の幅であり、第１及び第２の部分１４１、１４２の幅であってもよい。凹部１２２に挿入するときに最後に通過する弾性防振材１４０の平坦面を一端面とし、凹部１２２に挿入するときに最初に通過する弾性防振材１４０の平坦面を他端面とすると、弾性防振材１４０が一端面から他端面に向けて先細りの形状を有している場合、弾性防振材１４０における幅の狭い側である他端面から凹部１２２に挿入することで、弾性防振材１４０における幅の広い側である一端面が端縁に位置するので、弾性防振材の位置ずれ及び脱落を防止できる。
【００３７】
また、弾性防振材１４０が凹部１２２に保持される形状である場合には、両面テープ、接着剤等の接着部材は省略されることが好ましい。つまり、接着部材を省略して弾性防振材１４０のみを梁１１０とデッキプレート１２０との間に設けることが好ましい。
【００３８】
また、１つのデッキコンクリート床が梁１１０上に配置されていてもよく、複数のデッキコンクリート床が配置されていてもよい。後者の場合には、複数のデッキコンクリート床全体としたときの端縁において両端部に位置する凹部に弾性防振材１４０が設けられている。
【００３９】
ここで、図３〜図１１を参照して、弾性防振材１４０の例示的な構造について説明する。上述したように、弾性防振材１４０の第１の部分１４１と第２の部分１４２とは、別部材ではなく、一体の部材である。
【００４０】
図３に示す弾性防振材１４０は、１つの凹部１２２と略同じ形状である第１の部分１４１と、第１の部分１４１の下端幅よりも大きな幅を有する第２の部分１４２とを有している。断面視において、第１の部分１４１は台形で、第２の部分１４２は長方形である。
【００４１】
図４に示す弾性防振材１４０は、隣り合う２つの凹部と略同じ形状である２つの第１の部分１４１と、２つの第１の部分１４１における外側の下端縁を結ぶ幅と同じ幅を有する第２の部分１４２とを有している。図５に示す弾性防振材１４０は、隣り合う２つの凹部において、対向する側部と略同じ形状である２つの第１の部分１４１と、２つの第１の部分１４１における外側の下端縁を結ぶ幅と同じ幅を有する第２の部分１４２とを有している。図５の第１の部分１４１は、２つの凹部１２２において対向する一部分を埋める形状である。図４及び図５に示す第２の部分１４２は、隣り合う２つの凹部１２２に挟まれる底面１２１全体と接している。
【００４２】
図６に示す弾性防振材１４０は、１つの凹部１２２の下部（図６では、略下半分）と略同じ形状である第１の部分１４１と、第１の部分１４１との下端幅よりも大きな幅を有する第２の部分１４２とを有している。第１の部分１４１の上端面は平面であってもよく、曲面であってもよい。
【００４３】
図７に示す弾性防振材１４０は、隣り合う２つの凹部の下部と略同じ形状である２つの第１の部分１４１と、２つの第１の部分１４１における外側の下端縁を結ぶ幅と同じ幅を有する第２の部分１４２とを有している。図８に示す弾性防振材１４０は、隣り合う２つの凹部１２２において、対向する下側部を埋めるような形状である第１の部分１４１と、２つの第１の部分１４１における外側の下端縁を結ぶ幅と同じ幅を有する第２の部分１４２とを有している。なお、図６〜図８に示す第１の部分１４１のそれぞれは、図３〜図５に示す第１の部分１４１から上部が省略されている。
【００４４】
図９に示す弾性防振材１４０は、凹部１２２の一方の側部と略同じ形状である第１の部分１４１と、第１の部分１４１よりも大きな幅を有する第２の部分１４２とを有している。第２の部分１４２の一方側面は、第１の部分１４１において凹部１２２の側壁１２３と接していない側から下方に延出し、第２の部分１４２の他方側面は、凹部１２２の側壁１２３と接している側から底面１２１に沿って延出した位置から下方に延出している。なお、図９に示す弾性防振材は、図３に示す弾性防振材の左半分が省略されている。
【００４５】
図１０に示す弾性防振材１４０は、１つの凹部１２２と略同じ形状である第１の部分１４１と、第１の部分１４１の両側面のそれぞれと同一平面となるように連なる両側面で構成された第２の部分１４２とを有している。弾性防振材１４０は、断面視において台形である。
【００４６】
図１１に示す弾性防振材１４０は、１つの凹部１２２と略同じ形状である第１の部分１４１と、第１の部分１４１との境界面に対して略対称の形状である第２の部分１４２とを有している。第１の部分１４１は、上端から下端に向けて幅が狭くなり、第２の部分１４２は、上端から下端に向けて幅が大きくなる。
【００４７】
図９〜図１１に示すように、小面積で荷重を受ける場合には、弾性防振材１４０の遮音性能が高く、図３〜図８に示すように、大面積で荷重を受ける場合には、弾性防振材１４０の防振性能が高い。
【００４８】
図２に示すように、接合部材１５０は、梁１１０とデッキコンクリート床とを接合している。接合部材１５０は、デッキプレート１２０の端縁に配置された防振材１４０の近傍に配置されている。この場合、接合部材１５０によって梁１１０とデッキコンクリート床とが近づく方向に力が働くので、弾性防振材１４０に圧縮力を加えることができるため、弾性防振材１４０の性能を向上できる。本実施の形態では、梁１１０上に位置する１つの（同じ）凹部１２２において、弾性防振材１４０と接合部材１５０とが、離隔された状態で取り付けられているとともに、１つの（同じ）梁１１０に取り付けられている。換言すると、弾性防振材１４０が接する梁１１０に接合部材１５０が取り付けられ、かつその弾性防振材１４０が位置する凹部１２２にその弾性防振材１４０と距離を隔てて接合部材１５０が設けられている。この場合、弾性防振材１４０と接合部材１５０との干渉を回避できる。
【００４９】
接合部材１５０の一端は、凹部１２２に取り付けられ、接合部材１５０の他端は、梁１１０に取り付けられる。具体的には、図１２及び図１３に示すように、接合部材１５０は、凹部１２２に係合する係合部１５１と、この係合部１５１と梁１１０とを締結する締結部１５２とを含んでいる。本実施の形態では、図２に示すように、接合部材１５０は、弾性防振材１４０が載置されている梁１１０に取り付けられるとともに、その弾性部防振材１４０と同じ凹部１２２に取り付けられている。このため、接合部材１５０は、弾性防振材１４０の第１の部分１４１が位置する凹部１２２に係合する係合部１５１と、その弾性防振材１４０の第２の部分１４２が接する梁１１０と係合部１５１とを締結する締結部１５２とを含んでいる。
【００５０】
接合部材１５０は、図１２に示すように１つのデッキプレート１２０（デッキコンクリート床）と梁１１０とを接合してもよく、図１３に示すように、２つのデッキプレート１２０（デッキコンクリート床）と梁１１０とを接合してもよい。
【００５１】
ここで、図１２及び図１３を参照して、接合部材１５０の具体的な構造について説明する。まず、図１２に示す接合部材１５０について説明する。図１２の接合部材１５０は、係合部１５１と、締結部１５２とを含み、締結部１５２は、ボルト１５３と、ナット１５４と、支持部１５５とを有している。
【００５２】
係合部１５１は、１つの凹部１２２内に嵌合可能に形成されている。係合部１５１は、例えば金属で形成されており、弾性力を有していてもよい。係合部１５１が弾性力を有する材料で形成されている場合には、係合部１５１を撓ませた状態で凹部１２２に挿入し、挿入後に復元させることで、係合部１５１が凹部１２２内で保持される。
【００５３】
係合部１５１には、ボルト１５３が挿通されている。ボルト１５３は、係合部１５１と支持部１５５との鉛直方向の距離を調整する。このボルト１５３に螺合するように、係合部１５１側にナット１５４が設けられている。なお、ナット１５４が省略され、ボルト１５３が係合部１５１に固定され、係合部１５１と反対側でボルト１５３が相対回転するように構成されていてもよい。
【００５４】
ボルト１５３の梁１１０側には、梁１１０に当接する支持部１５５が設けられている。図２に示すように、本実施の形態では、梁１１０がＨ形鋼であるので、Ｈ形鋼の上側のフランジを下方から支持部１５５が支持する。
【００５５】
なお、接合部材１５０は、係合部１５１においてデッキコンクリート床（デッキプレート１２０）と接する部分に弾性材（図示せず）が設けられていてもよい。つまり、係合部１５１において凹部１２２と接する外周面に弾性材が設けられていてもよい。
【００５６】
続いて、図１２に示す接合部材１５０を用いて梁１１０とデッキコンクリート床とを接合する方法について説明する。接合部材１５０の係合部１５１を凹部１２２に挿入し、凹部１２２に係合させる。梁１１０の上部フランジの下面に支持部１５５を配置し、支持部１５５がフランジに引っ掛かって反力をとるように、ボルト１５３で鉛直方向に締め付けてナット１５４で固定する。これにより、接合部材１５０によって、梁１１０とデッキコンクリート床とを接合できる。
【００５７】
次に、図１３に示す接合部材１５０について説明する。図１３の接合部材１５０は、係合部１５１と、締結部１５２と、弾性材１５８とを含み、係合部１５１は、２つの把持部１５１ａ、１５１ｂと、ボルト１５６と、ナット１５７とを有し、締結部１５２は、ボルト１５３と、ナット１５４と、支持部１５５とを有している。
【００５８】
係合部１５１は、隣り合う２つの凹部１２２と係合する。このため、係合部１５１の把持部１５１ａ、１５１ｂのそれぞれは、隣り合う凹部１２２において対向する側壁１２３と、この側壁１２３と連なり、隣り合う凹部１２２間に位置する凹部１２２外の底面１２１とを把持する。２つの把持部１５１ａ、１５２は、互いに重なり合う領域を有している。把持部１５１ａ、１５１ｂには、ボルト１５６が取り付けられている。ボルト１５６は、水平方向に延び、隣り合う凹部１２２の距離に合わせて、把持部１５１ａ、１５１ｂの互いに重なり合う領域の位置を調整する。つまり、ボルト１５６は、隣り合う凹部１２２間の距離に合わせて把持部１５１ａ、１５１ｂの位置を調整する。このボルト１５６に螺合するように、ナット１５７が設けられている。
【００５９】
把持部１５１ａ、１５１ｂには、鉛直方向に延びるボルト１５３が挿通されている。このボルト１５３に螺合するように、係合部１５１側にナット１５４が設けられている。ボルト１５３には、梁１１０を支持する支持部１５５が設けられており、ボルト１５３で支持部１５５の鉛直方向の位置を調整できる。本実施の形態の支持部１５５は、Ｈ形鋼の上側のフランジを下方から当接する。
【００６０】
係合部１５１においてデッキコンクリート床（デッキプレート１２０）と接する部分に弾性材１５８が設けられている。弾性材１５８は、ゴム、樹脂などの弾性体であれば特に限定されず、ゴムであることが好ましい。
【００６１】
続いて、図１３に示す接合部材１５０を用いて梁１１０とデッキコンクリート床とを接合する方法について説明する。接合部材１５０の係合部１５１の把持部１５１ａ、１５１ｂのそれぞれを隣り合う凹部１２２に挿入し、ボルト１５６で水平方向に締め付けて、ナット１５７で固定する。これにより、凹部１２２に把持部１５１ａ、１５１ｂを係合できる。
【００６２】
また、梁１１０の上部フランジの下面に支持部１５５を配置し、支持部１５５がフランジに引っ掛かって反力をとるように、ボルト１５３で鉛直方向に締め付けてナット１５４で固定する。これにより、接合部材１５０によって、梁１１０とデッキコンクリート床とを接合できる。
【００６３】
なお、図１３に示す接合部材１５０は、２つのデッキコンクリート床と、梁１１０とを接合しているが、１つのデッキコンクリート床における隣り合う凹部１２２に係合部１５１を係合させることで、１つのデッキコンクリート床と梁１１０とを接合することもできる。
【００６４】
また、図１２及び図１３の接合部材１５０は、締結部材の支持部１５５が板状部材であり、この板状部材が梁１１０に当接して支持する構造を例に挙げて説明したが、この構造に限定されない。例えば、支持部は、係合部１５１に挿通されたボルト１５３に取り付けられた支持板と、この支持板に取り付けられたボルトなどの固定具とを有し、固定具が梁１１０に当接することで梁１１０を支持する構造であってもよい。
【００６５】
以上説明したように、本実施の形態のコンクリート床構造１００は、梁１１０と、この梁１１０上に位置するデッキコンクリート床と、梁１１０とデッキコンクリート床との間に設けられた弾性防振材１４０とを備え、デッキコンクリート床は、底面１２１に間隔を隔てて設けられた複数の凹部１２２を有し、デッキプレート１２０と、このデッキプレート１２０上に打設されたコンクリート１３０とを含み、弾性防振材１４０は、凹部１２２内に位置する第１の部分１４１と、凹部１２２から梁１１０側に突出して梁１１０に接する第２の部分１４２とを有している。
【００６６】
本実施の形態のコンクリート床構造１００によれば、梁１１０とデッキコンクリート床との間に弾性防振材１４０が設けられているので、弾性防振材１４０の弾性力によって、防振効果を有する。また、弾性防振材１４０の第１の部分１４１が凹部１２２内に位置し、弾性防振材１４０の第２の部分１４２が凹部１２２から梁１１０側に突出して梁１１０に接している。これにより、弾性防振材１４０の一部である第１の部分１４１が凹部１２２内で保持されるので、弾性防振材１４０の位置決めができる。したがって、施工時に、防振効果を有する弾性防振材１４０の位置ずれ及び脱落を防止することができる。
【００６７】
それに加えて、本実施の形態のコンクリート床構造１００は、以下の効果も有する。弾性防振材１４０の第１の部分１４１がデッキコンクリート床の凹部１２２で保持されるので、両面テープ、接着剤などの接着部材を用いることなく、弾性防振材１４０を取り付けることができる。このため、接着部材を用いる場合と異なり、弾性防振材１４０の取り付け面が濡れていたり、汚れていたりしていても、弾性防振材１４０を取り付けることができる。また、接着部材を用いる場合と異なり、接着面積の制限を受けにくい。
【００６８】
また、弾性防振材１４０の第１の部分１４１がデッキコンクリート床の凹部１２２で保持されるので、ビスなどの固定部材を用いることなく、弾性防振材１４０を梁１１０とデッキコンクリート床との間に取り付けることができる。このため、固定部材を用いる場合と異なり、取り付ける手間を低減して、弾性防振材１４０を容易に取り付けることができる。
【００６９】
また、弾性防振材１４０は、凹部１２２内から梁１１０まで延びているので、鉛直方向の防振性能を有している。また、凹部１２２内で第１の部分１４１が保持されているので、第１の部分１４１がデッキコンクリート床の動きを規制するため、振動が生じた場合であっても、水平方向の動きが低減される。このように、本実施の形態の弾性防振材１４０は、鉛直方向及び水平方向の防振性能を有している。
【００７０】
本実施の形態のコンクリート床構造１００において好ましくは、第１の部分１４１は、凹部１２２の側壁１２３に接し、第２の部分１４２は、第１の部分１４１が接する側壁１２３と連なる凹部１２２外の底面１２１と接している。
【００７１】
第２の部分１４２は、側壁１２３と連なる凹部１２２外の底面１２１と梁１１０とに接しているので、底面１２１と梁１１０との間で鉛直方向に保持される。この状態で、第１の部分１４１が凹部１２２の側壁１２３に接しているので、第１の部分１４１と第２の部分１４２とが捻じれやすい。このため、弾性防振材１４０は、水平方向の高い防振性能を有している。また、第２の部分１４２が側壁１２３と連なる凹部１２２外の底面１２１と接しているので、デッキコンクリート床（コンクリート１３０及びデッキプレート１２０）の荷重を受ける面積を増やすことができるため、弾性防振材１４０の小型化を図れる。
【００７２】
本実施の形態のコンクリート床構造１００において好ましくは、第１の部分１４１は、凹部１２２の両側壁１２３に接し、第２の部分１４２は、第１の部分１４１が接する両側壁１２３のそれぞれと連なる凹部１２２外の底面１２１のそれぞれと接している。
【００７３】
これにより、第１の部分１４１は両側壁１２３でしっかりと保持されるので、この第１の部分１４１と連なる第２の部分１４２は水平方向に変形しやすい。このため、弾性防振材１４０の水平方向の防振性能をさらに高めることができる。
【００７４】
本実施の形態のコンクリート床構造１００において好ましくは、第１の部分１４１の上端と凹部１２２の上壁１２４との間には隙間が設けられている。
【００７５】
この隙間により、第１の部分１４１が鉛直方向に変形することができるので、鉛直方向の防振性能をさらに高めることができる。また、凹部１２２に弾性防振材１４０を取り付ける際に弾性防振材１４０の上端と凹部１２２の上壁１２４とが擦れることを防止できるので、凹部１２２に弾性防振材１４０を取り付ける際の抵抗を低減できる。
【００７６】
本実施の形態のコンクリート床構造１００において好ましくは、凹部１２２の上壁１２４に向けて開口幅が広くなる。
【００７７】
これにより、凹部１２２内に位置する第１の部分１４１はしっかりと保持されやすくなるので、施工時に、防振効果を有する弾性防振材１４０の位置ずれ及び脱落をより防止することができる。
【００７８】
本実施の形態のコンクリート床構造１００において好ましくは、凹部１２２は、デッキコンクリート床の端縁に形成されている。そして、弾性防振材１４０は、デッキコンクリート床の端縁に設けられている。
【００７９】
デッキコンクリート床の端縁に形成された凹部１２２には、端縁から弾性防振材１４０を挿入することで、弾性防振材１４０を容易に取り付けることができる。このため、弾性防振材１４０を取り付けやすく、かつ、施工時に、防振効果を有する弾性防振材１４０の位置ずれ及び脱落を防止することができる。
【００８０】
本実施の形態のコンクリート床構造１００において好ましくは、凹部１２２のそれぞれは、デッキコンクリート床の一端縁から他端縁に向けて互いに平行に延びている。
【００８１】
これにより、デッキコンクリート床の一端縁及び他端縁の少なくとも一方に梁１１０を設ける構造などが実現できる。また、凹部１２２で囲まれた空隙を下方からの湿気を放湿するための通気部として機能させることもできる。
【００８２】
本実施の形態のコンクリート床構造１００において好ましくは、梁１１０の延びる方向と、凹部１２２の延びる方向とは、交差している。これにより、デッキコンクリート床と梁１１０とが交差する構造などが実現できる。
【００８３】
本実施の形態のコンクリート床構造１００において好ましくは、梁１１０とデッキコンクリート床とを接合する接合部材１５０をさらに備え、接合部材１５０は、凹部１２２に係合する係合部１５１と、この係合部１５１と梁１１０とを締結する締結部１５２とを含んでいる。
【００８４】
デッキコンクリート床の凹部１２２に係合部１５１を係合させることにより、接合部材１５０とデッキコンクリート床とを接合できる。梁１１０に締結部１５２を取り付けることにより、接合部材１５０と梁１１０とを接合できる。したがって、接合部材１５０により、梁１１０とデッキコンクリート床とを接合することができる。
【００８５】
なお、本発明者は、デッキコンクリート床の凹部１２２（デッキプレート１２０の立上り部）の形状を利用することに着目して鋭意研究した結果、上述したように、弾性防振材１４０を設けることと、接合部材１５０を用いることとを見出した。このため、弾性防振材１４０を用いたコンクリート床構造としてもよいが、本実施の形態のように、デッキコンクリート床の凹部１２２を利用して、梁１１０とデッキコンクリート床との間に取り付ける弾性防振材１４０と、梁１１０とデッキコンクリート床とを接合する接合部材とを組み合わせることが好ましい。
【００８６】
本実施の形態のコンクリート床構造１００において好ましくは、係合部１５１は、隣り合う２つの凹部１２２と係合する。隣り合う２つの凹部１２２とその間の底面１２１との形状を利用した接合部材１５０により、梁１１０とデッキプレート１２０とを接合することができる。また、隣り合う２つの凹部１２２が別のデッキプレート１２０である場合には、２つのデッキプレートと梁１１０とを１つの接合部材１５０で固定することができる。
【００８７】
本実施の形態のコンクリート床構造１００において好ましくは、接合部材１５０は、係合部１５１においてデッキコンクリート床と接する部分に設けられた弾性材１５８をさらに含んでいる。これにより、接合部材１５０に防振効果を持たせることができる。
【００８８】
本実施の形態のコンクリート床構造１００において好ましくは、弾性防振材１４０が接する梁１１０に接合部材１５０が取り付けられ、かつ弾性防振材１４０が位置する凹部１２２に弾性防振材１４０と距離を隔てて接合部材１５０が設けられている。
【００８９】
接合部材１５０によって梁１１０とデッキコンクリート床とが近づく方向に力が働くので、弾性防振材１４０に圧縮力を加えることができるため、弾性防振材１４０の性能を向上できる。また、１つの凹部１２２内に弾性防振材１４０と接合部材１５０とが距離を隔てて配置されるので、図２に示すように、弾性防振材１４０と接合部材１５０とは、互いに干渉していない。
【００９０】
今回開示された実施の形態はすべての点で例示であって制限的なものではないと考えられるべきである。本発明の範囲は上記した実施の形態ではなくて特許請求の範囲によって示され、特許請求の範囲と均等の意味及び範囲内でのすべての変更が含まれることが意図される。
【符号の説明】
【００９１】
１００  コンクリート床構造、１１０  梁、１２０  デッキプレート、１２０ａ，１２０ｂ  端縁、１２１  底面、１２２  凹部、１２３  側壁、１２４  上壁、１３０  コンクリート、１４０  防振材、１４１  第１の部分、１４２  第２の部分、１５０  接合部材、１５１  係合部、１５１ａ  把持部、１５２  締結部、１５３，１５６  ボルト、１５４，１５７  ナット、１５５  支持部、１５８  弾性材。
【図１】
2016069844.tif 000003
【図２】
2016069844.tif 000004
【図３】
2016069844.tif 000005
【図４】
2016069844.tif 000006
【図５】
2016069844.tif 000007
【図６】
2016069844.tif 000008
【図７】
2016069844.tif 000009
【図８】
2016069844.tif 000010
【図９】
2016069844.tif 000011
【図１０】
2016069844.tif 000012
【図１１】
2016069844.tif 000013
【図１２】
2016069844.tif 000014
【図１３】
2016069844.tif 000015